(57)【要約】【課題】マルチメディアコンテンツを含むコンテンツ情報を検索する際の利便性を向上させる。【解決手段】一又は複数の車両のそれぞれに搭載された車載器が、路側無線装置を介してコンテンツ情報を配信するセンター装置と無線通信可能に接続される配信システムであって、前記センター装置は、マルチメディアコンテンツを含むか否かを識別するための識別情報を含む前記コンテンツ情報を路側無線装置を介して配信し、前記車載器は、前記センター装置から配信された前記コンテンツ情報が前記識別情報を含むか否かを判断する制御手段を備える。【選択図】図８
2009213099.tif 000002
【特許請求の範囲】
【請求項１】
一又は複数の車両のそれぞれに搭載された車載器が、路側無線装置を介してコンテンツ情報を配信するセンター装置と無線通信可能に接続される配信システムであって、
前記センター装置は、予め定められた種類のデジタルコンテンツを含むか否かを識別するための識別情報を含む前記コンテンツ情報を路側無線装置を介して配信し、
前記車載器は、
前記センター装置から配信された前記コンテンツ情報が前記識別情報を含むか否かを判断する制御手段を備えることを特徴とする配信システム。
【請求項２】
前記識別情報が識別する前記デジタルコンテンツはマルチメディアコンテンツであることを特徴とする請求項１に記載の配信システム。
【請求項３】
路側無線装置を介してコンテンツ情報を配信するセンター装置と無線通信可能に接続された車載器であって、
マルチメディアコンテンツを含むか否かを識別するための識別情報を前記センター装置から配信された前記コンテンツ情報が含むか否かを判断する制御手段を備えることを特徴とする車載器。
【請求項４】
マルチメディアコンテンツを含む前記コンテンツ情報を検索するための情報を格納する検索テーブルを記憶する記憶手段を更に有し、
前記制御手段は、配信されたコンテンツ情報がマルチメディアコンテンツを含むと判断した場合、前記記憶手段に記憶された前記検索テーブルに当該コンテンツ情報に関する情報を格納させることを特徴とする請求項３に記載の車載器。
【請求項５】
前記コンテンツ情報は、当該コンテンツ情報が含むマルチメディアコンテンツのデータ種別を判断する情報を含み、
前記制御手段は、配信された前記コンテンツ情報に含まれるマルチメディアコンテンツのデータ種別に応じて、前記記憶手段に記憶された前記検索テーブルに当該コンテンツ情報に関する情報を格納させることを特徴とする請求項４に記載の車載器。
【請求項６】
前記コンテンツ情報に含まれるマルチメディアコンテンツのデータ種別を判断する情報は、当該コンテンツ情報にテキストデータ又は画像データが含まれるか否かを判断する情報であることを特徴とする請求項５に記載の車載器。
【請求項７】
マルチメディアコンテンツを再生する再生手段を更に有し、
前記制御手段は、前記記憶手段に記憶された前記検索テーブルに格納された情報に対応する前記マルチメディアコンテンツを前記再生手段によって再生させることを特徴とする請求項３から請求項６のいずれか一項に記載の車載器。
【請求項８】
一又は複数の車両のそれぞれに搭載された車載器が、路側無線装置を介してコンテンツ情報を配信するセンター装置と無線通信可能に接続される配信方法であって、
前記センター装置は、前記コンテンツ情報がマルチメディアコンテンツを含むことを識別するための識別情報を含む前記コンテンツ情報を路側無線装置を介して配信し、
前記車載器は、
前記センター装置から配信された前記コンテンツ情報が前記識別情報を含むか否かを判断する制御工程を有することを特徴とする配信方法。
【請求項９】
路側無線装置を介してコンテンツ情報を配信するセンター装置と無線通信可能に接続された車載器を、
前記センター装置から配信された前記コンテンツ情報がマルチメディアコンテンツを含むことを識別するための識別情報を含むか否かを判断する制御手段として機能させるためのプログラム。
【発明の詳細な説明】
【技術分野】
【０００１】
本発明は、配信システム、車載器、配信方法、及びプログラムに関する。
【背景技術】
【０００２】
従来、ナビゲーション装置のような車載器では、ＤＳＲＣ（Dedicated Short Range Communication）等を利用して路上に設置された路側無線装置と狭域無線通信を行い、当該路側無線装置を介してセンター装置から情報提供を受けることが可能となっている。すなわち、車両が路側無線装置の通信範囲内にある間のみ、車両の車載器と路側無線装置との双方向通信が可能となり、この間にセンター装置が路側無線装置を介して、地域情報（例えば周辺の店舗や医療機関の情報）や広告情報等の各種コンテンツ情報を配信するのである。
【０００３】
また、前記車載器では、路側無線装置から配信された各種コンテンツ情報を記憶することにより、路側無線装置と通信できない環境においても当該各種コンテンツ情報を再生することが可能になっている（特許文献１参照）。
【特許文献１】特開２００７−１０９０３２号公報
【発明の開示】
【発明が解決しようとする課題】
【０００４】
ところで、前記車載器には多くのコンテンツ情報が配信される。その結果、前記車載器は多数のコンテンツ情報を記憶することとなる。
【０００５】
そのため、前記車載器は、コンテンツ情報のデータ階層構造を用いることにより、前記記憶されたコンテンツ情報の中からユーザの所望するコンテンツ情報にアクセスする構成となっている。例えば、音楽データ等のマルチメディアコンテンツを含むコンテンツ情報を再生するためには、コンテンツ情報の中からユーザの所望するマルチメディアコンテンツを含むコンテンツ情報を検索してアクセスする構成となっている。
【０００６】
しかし、前述の通りコンテンツ情報は多数であり、マルチメディアコンテンツを含まないコンテンツ情報も多数存在するため、ユーザが所望するマルチメディアコンテンツを含むコンテンツ情報を探し当てるのは困難である。そのため、ユーザは自己が所望するマルチメディアコンテンツを含むコンテンツ情報を検索するためには、煩雑な操作を要する。
ＤＲＭを含むマルチメディアコンテンツが配信される際に、ナビ側でマルチメディアコンテンツのフォーマットからマルチメディアコンテンツ部分だけを抜き出して、別ファイルで管理や改竄することは、マルチメディアコンテンツのコンテンツホルダー側の意向に沿わなくなる。
【０００７】
本発明は、上述したような課題に鑑みてなされたものであり、その目的とするところは、マルチメディアコンテンツを含むコンテンツ情報を検索する際の利便性を向上させることである。
【課題を解決するための手段】
【０００８】
上記課題を解決するために、請求項１に記載の発明は、
一又は複数の車両のそれぞれに搭載された車載器が、路側無線装置を介してコンテンツ情報を配信するセンター装置と無線通信可能に接続される配信システムであって、
前記センター装置は、予め定められた種類のデジタルコンテンツを含むか否かを識別するための識別情報を含む前記コンテンツ情報を路側無線装置を介して配信し、
前記車載器は、
前記センター装置から配信された前記コンテンツ情報が前記識別情報を含むか否かを判断する制御手段を備えることを特徴としている。
【０００９】
請求項２に記載の発明は、請求項１に記載の発明において、
前記識別情報が識別する前記デジタルコンテンツはマルチメディアコンテンツであることを特徴としている。
【００１０】
請求項３に記載の発明は、
路側無線装置を介してコンテンツ情報を配信するセンター装置と無線通信可能に接続された車載器であって、
マルチメディアコンテンツを含むか否かを識別するための識別情報を前記センター装置から配信された前記コンテンツ情報が含むか否かを判断する制御手段を備えることを特徴としている。
【００１１】
請求項４に記載の発明は、請求項３に記載の発明において、
マルチメディアコンテンツを含む前記コンテンツ情報を検索するための情報を格納する検索テーブルを記憶する記憶手段を更に有し、
前記制御手段は、配信されたコンテンツ情報がマルチメディアコンテンツを含むと判断した場合、前記記憶手段に記憶された前記検索テーブルに当該コンテンツ情報に関する情報を格納させることを特徴としている。
【００１２】
請求項５に記載の発明は、請求項４に記載の発明において、
前記コンテンツ情報は、当該コンテンツ情報が含むマルチメディアコンテンツのデータ種別を判断する情報を含み、
前記制御手段は、配信された前記コンテンツ情報に含まれるマルチメディアコンテンツのデータ種別に応じて、前記記憶手段に記憶された前記検索テーブルに当該コンテンツ情報に関する情報を格納させることを特徴としている。
【００１３】
請求項６に記載の発明は、請求項５に記載の発明において、
前記コンテンツ情報に含まれるマルチメディアコンテンツのデータ種別を判断する情報は、当該コンテンツ情報にテキストデータ又は画像データが含まれるか否かを判断する情報であることを特徴としている。
【００１４】
請求項７に記載の発明は、請求項３から請求項６のいずれか一項に記載の発明において、
マルチメディアコンテンツを再生する再生手段を更に有し、
前記制御手段は、前記記憶手段に記憶された前記検索テーブルに格納された情報に対応する前記マルチメディアコンテンツを前記再生手段によって再生させることを特徴としている。
【００１５】
請求項８に記載の発明は、
一又は複数の車両のそれぞれに搭載された車載器が、路側無線装置を介してコンテンツ情報を配信するセンター装置と無線通信可能に接続される配信方法であって、
前記センター装置は、前記コンテンツ情報がマルチメディアコンテンツを含むことを識別するための識別情報を含む前記コンテンツ情報を路側無線装置を介して配信し、
前記車載器は、
前記センター装置から配信された前記コンテンツ情報が前記識別情報を含むか否かを判断する制御工程を有することを特徴としている。
【００１６】
請求項９に記載の発明は、
路側無線装置を介してコンテンツ情報を配信するセンター装置と無線通信可能に接続された車載器を、
前記センター装置から配信された前記コンテンツ情報がマルチメディアコンテンツを含むことを識別するための識別情報を含むか否かを判断する制御手段として機能させる。
【発明の効果】
【００１７】
本発明によれば、マルチメディアコンテンツを含むコンテンツ情報を検索する際の利便性が向上する。
【発明を実施するための最良の形態】
【００１８】
（第１の実施の形態）
まず、構成を説明する。
図１に、本実施形態における配信システム１００を示す。
配信システム１００は、図１に示すように、車両Ｃに搭載された車載器１０、路側無線装置２０、センター装置３０を含んで構成され、センター装置３０が路側無線装置２０を介して車載器１０にコンテンツ情報を配信する。
路側無線装置２０は路上や駐車場等に複数設置され、各路側無線装置２０はネットワークＮを介してセンター装置３０と接続されている。また、路側無線装置２０と、車両Ｃの車載器１０とは無線通信が可能である。
【００１９】
なお、コンテンツ情報とは、データ形式等の詳細は後述するが、店舗の広告や駐車場、医療施設の案内等のコンテンツ（テキスト情報、画像情報、音情報）の他、コンテンツを提供する事業者に関する情報、コンテンツの有効期限の情報（例えば、有効期限の開始と終了の日時）、サービスを提供可能な対象地点の情報（例えば、広告している店舗の地点を示す緯度経度や店舗名等）が含まれる。例えば、目的地等の情報を含むコンテンツ情報であれば緯度経度情報も格納されているが、コンテンツ情報に目的地等の情報が含まれなければ緯度経度情報は必要がなく、当該情報を示すデータ領域には情報は格納されない。
他にも、コンテンツ情報として、当該コンテンツの通知を行うためのポップアップを再生を行うべき再生地点（例えば、ポップアップの再生地点を示す緯度経度、ポップアップを再生する道路種別や車両の進入方向を指定する情報等）、コンテンツの表示画面の遷移情報（次に表示する画面を指定する情報等）、嗜好情報等を含む情報が格納されていてもよい。
【００２０】
本実施の形態においては、コンテンツ情報がマルチメディアコンテンツを含むか否かを識別する情報が当該コンテンツ情報内に含まれている。具体的には、コンテンツ情報のデータ領域の一部を、当該コンテンツ情報がマルチメディアコンテンツを含むか否かを識別する識別情報としてのフラグ（以下、マルチメディアフラグという）として使用し、マルチメディアフラグがオンの場合は、当該コンテンツ情報にはマルチメディアコンテンツが含まれる。マルチメディアフラグがオフの場合には、当該コンテンツ情報に含まれる動画データや画像データはマルチメディアコンテンツではなく、単なる広告や道案内等の情報伝達のための情報である。
【００２１】
以下、各構成装置について詳細に説明する。
路側無線装置２０は、図２に示すように本体装置２０ａとアンテナ２０ｂとから構成されている。路側無線装置２０は、道路脇や道路上方に設置されたアンテナ２０ｂから、到達距離が限定されたＤＳＲＣの電波を放射して、路側無線装置２０近傍に路側エリアＺを形成する。この路側エリアＺ内にある車両Ｃの車載器１０とだけ双方向狭域無線通信が可能となる。以下、路側無線装置２０と車載器１０間の狭域無線通信を路車間通信という場合がある。
【００２２】
ＤＳＲＣは５．８GHz帯域の電波を使った通信方式であり、その通信範囲は例えば数メートルから数十メートルである。路側無線装置２０からのＤＳＲＣの送信出力は何れも同じ程度に設定されているので、複数の路側無線装置２０がそれぞれ形成する路側エリアＺは設置場所に関係なく、ほぼ一定である。
【００２３】
本体装置２０ａは、車載器１０とセンター装置３０間の情報のやりとりを仲介するための処理を行う。すなわち、アンテナ２０ｂを介して車載器１０から受信された情報をセンター装置３０に転送し、センター装置３０から送信されたコンテンツ情報を車載器１０へ転送する。本体装置２０ａは、情報処理や通信制御を行う制御部、記憶部等を備えたコンピュータ端末を適用することができる。
【００２４】
車載器１０は、車両Ｃに搭載され、案内経路への誘導のための処理等を行うナビゲーション機能の他、ＤＳＲＣによるＥＴＣ（Electronic Toll Collection System）利用のための処理を行う機能等を有している。
車載器１０は、図３に示すように、カーナビ部１、通信モジュール２、ＤＳＲＣ部３、制御部４を備えて構成されている。
【００２５】
制御部４は、制御手段として機能し、ＣＰＵ（Central Processing Unit）、ＲＡＭ（Random Access Memory）等から構成され、記憶部１ｆに記憶された制御プログラムとの協働により各種演算を行う他、各部の集中制御を行う。
例えば、路側無線装置２０との路車間通信を行う際にはＤＳＲＣ部３の通信動作を制御する。なお、ＤＳＲＣ部３の制御にあたってはＤＳＲＣ部３のＤＳＲＣ制御部３ａとの協働により制御を行う。また、ＤＳＲＣ部３を介してセンター装置３０から受信したコンテンツ情報の保存、再生制御等を行う再生手段としても機能する。
【００２６】
カーナビ部１は、カーナビ制御部１ａ、現在地検出部１ｂ、地図記憶部１ｃ、入力部１ｄ、表示部１ｅ、記憶部１ｆ等を備えて、車両Ｃを案内経路へ誘導するための処理を行う。
カーナビ制御部１ａは、現在地検出部１ｂから取得した現在地の情報及び地図記憶部１ｃに記憶された地図情報等に基づいて、車両Ｃの現在地から入力部１ｄを介して設定された目的地までの案内経路を算出する。そして、地図記憶部１ｃに記憶されている地図情報を用いて算出した案内経路へ誘導するための地図画面を生成し、表示部１ｅにより表示させる。
【００２７】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車の加速度（単位時間あたりの水平方向への回転速度）を検出し、方位センサは地磁気の検出を行い、車両の絶対方位を検出する。現在地検出部１ｂは、これらセンサから取得した各検出結果に基づいて車両の現在地を示す現在地情報（経度、緯度等の情報）を生成し、カーナビ制御部１ａに出力する。
【００２８】
地図記憶部１ｃは、メモリやＤＶＤ等の記録媒体から構成され、案内表示に必要な地図情報、通信モジュール２を介して受信されるガイド情報（道路情報、渋滞情報等）等を記憶している。
【００２９】
入力部１ｄは、操作キーや表示部１ｅと一体に構成されるタッチパネル等から構成されている。入力部１ｄは、これらの操作に対応する操作信号を生成し、制御部３１に出力する。
表示部１ｅは、モニタを備え、制御部４の制御に従ってモニタ上に各種情報を表示する。例えば、設定画面や地図画面、センター装置３０から受信したコンテンツ情報の表示画面等である。
【００３０】
記憶部１ｆは、記憶手段として機能し、メモリから構成され、制御部４やカーナビ制御部１ａにより実行される制御プログラム、プログラムの実行に必要なパラメータやデータ等を記憶している。
また、記憶部１ｆは、センター装置３０に提供するアップリンク情報を記憶するとともに、センター装置３０から受信したコンテンツ情報を記憶する。ユーザがコンテンツ情報の配信について契約をした配信事業者（以下、正規の配信事業者という。）が複数ある場合には、アップリンク情報は各配信事業者に応じた内容で制御部４によりそれぞれ生成され、記憶部１ｆに記憶される。アップリンク情報は最新の内容となるように制御部４が常に更新を行って記憶部１ｆに保存させる。アップリンク情報の詳細については後述する。
【００３１】
通信モジュール２は、光通信用、ＦＭ通信用、２．４GHz電波通信用のアンテナをそれぞれ備え、通信センターと光通信、ＦＭ通信、電波通信を行う。通信モジュール２は通信センターから渋滞情報や道路交通情報等を受信し、制御部３１に出力する。なお、通信センターとしてはＶＩＣＳセンター等を挙げることができるが、これに限らず、また、通信センターから受信する情報としては、渋滞情報や道路交通情報に限らない。
【００３２】
ＤＳＲＣ部３は、ＤＳＲＣによるＥＴＣ利用のための処理や、センター装置３０からコンテンツ情報を受信するための通信処理等を行う。
ＤＳＲＣ部３は、図３に示すようにＤＳＲＣ制御部３ａ、通信部３ｂ、記憶部３ｃ、ＥＴＣ処理部３ｅ、ＩＣカードＩ／Ｆ３ｆを備えて構成されている。
【００３３】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＥＴＣによる決済を行う際には、通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｅにより決済情報の書込処理を行わせる。
また、センター装置３０からコンテンツ情報を受信する際には、制御部４の指示に従って記憶部３ｃのアップリンク情報記憶領域Ｍに記憶されている情報を、通信部３ｂにより路側無線装置２０に送信させる一方、通信部３ｂにより路側無線装置２０を介してコンテンツ情報を受信した場合にはこれを制御部４に出力する。
【００３４】
通信部３ｂは、車両Ｃのダッシュボード上でフロントガラス近傍に固設されたアンテナを備え、このアンテナを介して路側無線装置２０やＥＴＣ基地局等と、ＤＳＲＣの電波の送受信を行う。
【００３５】
記憶部３ｃは、ＤＳＲＣ制御部３ａにより実行される制御プログラム等を記憶している。
また、記憶部３ｃにはアップリンク情報記憶領域Ｍが設けられている。アップリンク情報記憶領域Ｍは、センター装置３０に対してユーザが欲する情報を提供するためのアップリンク情報専用に設けられた記憶領域であり、車載器１０の特性情報が記憶される。
【００３６】
ＥＴＣ処理部３ｅは、ＩＣカードＩ／Ｆ３ｆに挿抜されるＩＣ付きクレジットカード又はデビットカード等に対して決済情報等の読み書きを行う。
ＩＣカードＩ／Ｆ３ｆは、上記クレジットカード等のスロットを備え、このスロットに挿入されたクレジットカード等のＩＣとＥＴＣ処理部３ｅの間で情報のやりとりを仲介する。
【００３７】
次に、センター装置３０について説明する。
センター装置３０は、コンテンツ情報を記憶し、これを車載器１０に配信する。
なお、図１では１台のセンター装置３０のみ示したが、コンテンツ情報を配信する配信事業者は複数あり、センター装置３０は配信事業者毎に備えられるものである。
【００３８】
図４に、センター装置３０の機能的構成を示す。
図４に示すように、センター装置３０は制御部３１、入力部３２、表示部３３、記憶部３４、通信部３５を備えて構成されている。
【００３９】
制御部３１は、ＣＰＵ、ＲＡＭ等から構成され、記憶部３４に記憶された制御プログラムとの協働により各種演算を行う他、各部の集中制御を行う。
例えば、制御部３１は記憶部３４に保存されているコンテンツ情報を読み出して編成したり、編成したコンテンツ情報の配信制御を行う。なお、編成とは配信するコンテンツ情報の選択や、配信用のフォーマットに合わせて選択したコンテンツ情報を処理すること等をいう。
【００４０】
入力部３２は、キーボード等を備えて操作入力を受け付け、当該操作入力に応じた操作信号を制御部３１に出力する。
表示部３３はディスプレイを備え、制御部３１の表示制御に従ってディスプレイ上に各種画面を表示する。
【００４１】
記憶部３４は、制御部３１により実行されるプログラムの他、プログラムの実行に必要な各種データを記憶する。また、記憶部３４は配信すべきコンテンツ情報を記憶している。コンテンツ情報は複数の項目に分類されている。以下、コンテンツ情報の詳細について説明する。
【００４２】
図５に、コンテンツ情報のフォーマットの一例を示す。
図５に示すように、コンテンツ情報には、個々にＩＤが付された情報、例えば区分情報、事業者、コンテンツ詳細、有効期限、時間提供、対象地点、再生地点、遷移情報、駐車場情報、運転支援情報、嗜好情報等が含まれている。
【００４３】
ＩＤ００の区分情報は、コンテンツ情報に含まれる各情報の識別番号の一覧を示す情報である。この区分情報中の各情報の識別番号の有無を確認することにより、当該各情報が存在するか否かを即時に判断することが出来る。
また、その他にも、区分情報は識別番号に対応する情報のデータ量等を示す。
【００４４】
識別番号は、コンテンツ情報に含まれる各情報の分類を示す。
また、識別番号は、ＩＤ０１〜ＩＤ２５５まで割り振られており、例えばＩＤ１０は対象地点情報、ＩＤ４０は詳細情報であることを示す。
なお、コンテンツ情報に含まれる各ＩＤに対応する情報にはヘッダ情報（図示せず）が含まれており、後述するＩＤ１０に対応する情報にマルチメディアコンテンツが含まれていることを示すマルチメディアフラグのように、各ＩＤに対応する内容を示すフラグ等がヘッダ情報として格納されている。
以下、識別番号に対応する各情報について説明する。
【００４５】
ＩＤ０１の事業者の情報は、サービス事業者を特定するための情報であり、例えば事業者コード等である。
ＩＤ０２、ＩＤ０３のコンテンツ詳細はコンテンツ情報に関する詳細な情報である。例えばＩＤ０２には、サービス事業者がコンテンツ情報に対し個別に割り付けた情報コード、コンテンツ情報が属する嗜好情報のカテゴリ等が格納され、ＩＤ０３には再生を即時に行うか蓄積するかを示す即時／蓄積コード等が格納される。
他にも、サービス事業者が配信するコンテンツの提供元を示すコード、当該企業を通知するテキスト、コンテンツ情報を検索、並び替え、及び削除等するための情報表示テキスト等をＩＤ０２のコンテンツ詳細として格納してもよい。
【００４６】
ＩＤ０４の有効期限はコンテンツの再生についての有効期限を示す情報であり、有効期限の開始時期及び終了時期を示す日時で表される。
ＩＤ０５の時間提供は後述する対象地点においてサービスを提供できる営業時間等の情報である。
【００４７】
対象地点とはサービスの提供を行う店舗や施設等をいい、ＩＤ１０の対象地点の情報としては、例えば対象地点の位置を示す対象地点座標（緯度経度）、対象地点名称等を示す対象地点表示用テキスト、対象地点の説明等に係るコンテンツであるテキスト、画像、音声、ビデオ、対象地点の情報をＩＰ通信により提供する際のＵＲＬ、対象地点を地図上に表示する際に使用されるアイコン画像、提携駐車場情報等からなる。
例えば、テキストの領域には、対象地点についての補足説明のためのテキストデータが格納され、画像の領域には、対象地点の写真が格納されていてもよい。同様に、音声の領域には、対象地点付近からの道案内のための音声データが格納され、ビデオの領域には、対象地点への道案内のための動画データが格納されていてもよい。
なお、対象地点が存在しないコンテンツ情報の場合は、画面遷移のための説明の情報が格納されていてもよい。
【００４８】
本実施の形態においては、マルチメディアコンテンツを含むコンテンツ情報である場合には、ＩＤ１０に格納される情報として、先述したようにテキスト、画像、音声、ビデオが格納されるデータ領域に、それぞれマルチメディアコンテンツ及びマルチメディアコンテンツに関する各種情報が格納される。例えば、テキストの領域には、当該マルチメディアコンテンツに関するアーティストや出演者等の文字情報等が格納され、画像の領域にはジャケット写真やＰＶ（Promotion Video）の画像等が格納される。音声の領域には、楽曲データ等が格納され、ビデオの領域には映画等の動画データが格納されることになる。
【００４９】
図６に、ＩＤ１０のヘッダ情報Ｆの一例を示す。図６に示すように、ＩＤ１０のヘッダ情報Ｆには、各項目に対応したフラグの値が格納され、各項目に対応した内容が当該コンテンツ情報に含まれるか否かを示す。フラグがオン（値が１）の場合は、当該コンテンツ情報には、フラグに対応する内容が含まれ、フラグがオフ（値が０）の場合は、当該コンテンツ情報には、フラグに対応する内容が含まれない。
例えば、「マルチメディア」の項目には、当該コンテンツ情報がマルチメディアコンテンツを含むか否かを示す識別情報としてのマルチメディアフラグが格納されているため、マルチメディアフラグがオンとなっていれば、当該コンテンツ情報はマルチメディアコンテンツであることを示している。同様に「ビデオ」の項目がオンとなっていれば、当該コンテンツ情報のＩＤ１０のビデオにはビデオデータが格納されており、「圧縮音声」の項目がオンとなっていれば、当該コンテンツ情報のＩＤ１０の音声には楽曲等の圧縮音声が格納されていることを示す。なお、ヘッダ情報Ｆの形式は図６の例に限られない。
このヘッダ情報ＦはＩＤ１０に限られず、ＩＤ０１、０２、２０、４０、６０にも含まれる。
【００５０】
ＩＤ２０の情報提供地点の情報はコンテンツを再生させたい情報提供エリアに関する情報である。蓄積されたコンテンツについては、情報提供エリア内にある道路である方向から対象車両Ｃが進入した際にコンテンツがあることを通知するポップアップ通知を行い、そこで再生の指示がなされるとコンテンツの再生を行う。ＩＤ２０の情報提供地点は、このときのポップアップ通知やコンテンツ再生等を行う際の条件を指定する情報である。例えば、情報提供エリアの中心座標（緯度経度）、半径、対象車両Ｃの進入方向を示す方向コード、道路種別、ポップアップ通知用の表示画像、音声等からなる。
【００５１】
ＩＤ３０の遷移情報は、ＩＤ２０の情報提供地点のコンテンツに画像が含まれるコンテンツ情報が複数あり、各コンテンツ情報の画像を遷移させて表示する場合に用いる情報である。遷移情報は、例えば次の遷移先の情報コードを示す次再生情報コード等からなる。
【００５２】
以下、図７を用いて、「ＩＤ１０」、「ＩＤ３０」の情報について説明する。図７に示す各画面Ｄ１〜Ｄ８は、コンテンツ情報に基づき、車載器１０において表示される画面遷移例である。ここでは、１つの情報グループは１つの画面に対応するとする。画面Ｄ１は、メニュー画面であり遷移先が３つある。画面Ｄ１において「entertainment」が選択されると、サービス事業者（配信事業者）の一覧を示す画面Ｄ２に遷移する。画面Ｄ２には遷移先が４つある。画面Ｄ２において１つの配信事業者が選択されると、選択された配信事業者のコンテンツ情報を示す画面Ｄ３に遷移する。画面Ｄ３には遷移先が４つある。画面Ｄ３において「くらし情報」が選択されると、暮らし情報の一覧を示す画面Ｄ４に遷移する。画面Ｄ４には遷移先が３つある。画面Ｄ４において「医療・病院」が選択されると、医療・病院の一覧を示す画面Ｄ５に遷移する。画面Ｄ５には遷移先が２つある。画面Ｄ５において「休日診療病院一覧」が選択されると、休日診療病院の一覧を示す画面Ｄ６に遷移する。画面Ｄ６には遷移先が７つある。画面Ｄ６において「小児科」が選択されると、小児科の病院一覧を示す画面Ｄ７に遷移する。画面Ｄ７には遷移先が４つある。画面Ｄ７において１つの小児科病院が選択されると、選択された小児科病院の情報を示す画面Ｄ８に遷移する。画面Ｄ８には遷移先がないが、「ＩＤ１０」の対象地点情報がある。
【００５３】
ここで、例えば、画面Ｄ６に対応する情報グループの「ＩＤ３０」の「次再生情報コード」には、それぞれ遷移先の情報グループの「ＩＤ０２」の「情報コード」が格納されている。また、画面Ｄ７に対応する情報グループの「ＩＤ３０」の「次再生情報コード」には、それぞれ遷移先の情報グループの「ＩＤ０２」の「情報コード」が格納されている。また、画面Ｄ８に対応する情報グループには、遷移情報がない。
また、画面Ｄ２に対応する情報グループには、遷移情報はあるが、「ＩＤ１０」の「対象地点座標」はない。
【００５４】
ＩＤ４０の詳細情報は、ＩＤ１０のコンテンツに関する詳細な情報である。
詳細情報は、当該コンテンツの内容の説明をするための情報であり、本実施の形態においては、ＩＤ１０のコンテンツがマルチメディアコンテンツである場合は、アーティスト名やアルバム名、ジャンル等の情報が格納される。
表示用文字データは、サービス対象地点や画面遷移の案内を行う情報等、ユーザを補助するための情報である。表音文字列は音声によってユーザに伝達するための情報を格納している。
【００５５】
ＩＤ５０の駐車場情報は、予め登録されている駐車場に関する情報である。駐車場情報は、例えば情報配信装置において予め登録されている駐車場の駐車場ＩＤ、満空情報等である。満空情報とは満車、空車の状況や、満車率等の混み具合を示す情報をいう。
【００５６】
ＩＤ６０の運転支援情報は、駐車場の出入口付近や駐車場内の合流分岐、速度案内等、敷地内の運転に関して運転の補助となる情報である。運転支援情報は、例えば運転支援のための画像、当該コンテンツ情報を受信した際に情報の内容を発話することによりユーザに対して知らせるための音声案内を行うのに用いられる表音文字列、圧縮音声、音声の再生順の情報等である。
【００５７】
ＩＤ８０の嗜好情報は、上述したように配信するコンテンツ情報の選択に用いる情報である。嗜好情報は、例えば嗜好情報のバージョン、そのバージョンで定められているカテゴリの名称を示す表示用テキスト、表音文字列、カテゴリの詳細情報等からなる。
【００５８】
コンテンツ情報は上記各ＩＤの情報を含めて予め作成されたものを記憶部３４に保存しておき、配信時に、これらコンテンツ情報のうち配信するコンテンツ情報を制御部３１が選択する。なお、各ＩＤの情報は必要に応じてコンテンツ情報に含められ、常に全てのＩＤの情報がコンテンツ情報に含まれているわけではない。例えば、対象地点において提携指定されている提携駐車場が無ければ、ＩＤ１０の対象地点に提携駐車場情報は含まれないことになる。
【００５９】
次に、動作について説明する。
図８は、コンテンツ情報を配信する際におけるセンター装置３０、路側無線装置２０、車載器１０の各装置における処理の流れを説明するフローチャートである。
図８に示すように、まず車両Ｃのエンジンが起動し、車載器１０の電源が投入されると（ステップＳ１）、制御部４は車載器１０の特性情報を生成し、記憶部３ｃのアップリンク情報記憶領域Ｍに書き込む（ステップＳ２）。特性情報は、予めセンター装置３０との間で取り決められている項目について制御部４が表示部１ｅ等の各部に問い合わせて取得したり、予め記憶部１ｆに記憶されている情報を読み出す等して取得する。そして、取得された情報を制御部４がコード化し、アップリンク情報記憶領域Ｍの対応する領域に当該コードを書き込む。なお、実際には書込を指示する制御情報をＤＳＲＣ制御部３ａに出力し、このＤＳＲＣ制御部３ａがアップリンク情報記憶領域Ｍに書き込む。
【００６０】
その後、車両Ｃが走行を開始し、路側無線装置２０の路側エリアＺに進入すると（エリアイン）、路側無線装置２０は車両Ｃを検出し、車載器１０のＤＳＲＣ部３とＤＳＲＣ通信による接続処理を開始する（ステップＳ３ａ、Ｓ３ｂ）。すなわち、ＤＳＲＣの電波を送出し、車載器１０からの応答が得られると、通信路を確立する。通信路を確立すると、路側無線装置２０はセンター装置３０に対し接続が完了した旨の通知情報を送信する（ステップＳ４ａ）。一方、車載器１０のＤＳＲＣ部３は制御部４に対し接続が完了した旨の通知情報を出力する（ステップＳ４ｂ）。
【００６１】
次いで、路側無線装置２０が車載器１０のＤＳＲＣ部３に対し、アップリンク情報記憶領域Ｍ内の情報の送信要求を行うと、ＤＳＲＣ部３はアップリンク情報記憶領域Ｍに書き込まれている特性情報を路側無線装置２０に送信する（ステップＳ５）。特性情報は路側無線装置２０を介してセンター装置３０に送信される。
センター装置３０は、受信した特性情報に含まれる車載器ＩＤを元に車載器１０のユーザが配信サービスの会員か否かを判断する（ステップＳ６）。
【００６２】
記憶部３４に記憶されている配信サービスの全会員の車載器ＩＤのうち、受信した車載器ＩＤと一致するものがなく、非会員であると判断すると（ステップＳ６；Ｎ）、非会員用のコンテンツ情報を路側無線装置２０を介して車載器１０に送信する（ステップＳ６１）。その後、図８に示すステップＳ１８の処理に移行する。なお、非会員用のコンテンツ情報とは、電車の遅延情報、納税通知情報等の公共の広告情報等の一般向けの内容の情報である。車載器１０では、配信された当該コンテンツ情報がマルチメディアコンテンツを含んでいるか否かを判断するための、マルチメディア判断処理（詳細は後述する）を行い（ステップＳ１１）、当該コンテンツ情報が記憶部１ｆに保存する（ステップＳ１１）。保存されたコンテンツ情報は所定のタイミングで再生されることとなる。
一方、一致する車載器ＩＤがあれば会員であると判断して（ステップＳ６；Ｙ）、配信事業者の事業者コードの通知情報を路側無線装置２０に送信する（ステップＳ１０）。
【００６３】
路側無線装置２０を介して事業者コードの通知情報が受信されると、車載器１０の制御部４は記憶部１ｆに記憶されているアップリンク情報に含まれる事業者コードと、通知された事業者コードとを照合する（ステップＳ１０）。一致する事業者コードがない場合（ステップＳ１０；Ｎ）、図８に示すステップＳ１９の処理に移行する。
【００６４】
一致する事業者コードがある場合（ステップＳ１０；Ｙ）、受信された事業者コードの配信事業者は正規の配信事業者であると判断し、制御部４は当該事業者コードに対応するアップリンク情報を記憶部１ｆから読み出してアップリンク情報記憶領域Ｍに書き込む（ステップＳ９）。前述のようにアップリンク情報は各配信事業者に応じて制御部４が生成し、更新を行っているので、配信事業者に応じた内容かつ最新の内容となっている。
【００６５】
一方、センター装置３０はデフォルトのコンテンツ情報を路側無線装置２０を介して車載器１０に配信する（ステップＳ１４）。デフォルトのコンテンツ情報とは、非会員用のコンテンツ情報と同様に公共の広告情報等の一般向けの内容の情報である。車載器１０では、配信された当該コンテンツ情報に対して、ステップＳ１１と同様にマルチメディア判断処理を行い（ステップＳ１１）、記憶部１ｆに配信されたコンテンツ情報を保存する（ステップＳ１２）。
また、センター装置３０は車載器１０に対し定期的にポーリングを行って（ステップＳ１５）、アップリンク情報記憶領域Ｍに書き込まれたアップリンク情報を要求する。
【００６６】
ＤＳＲＣ部３は、制御部４によりアップリンク情報の書込が行われると、センター装置３０からのポーリングに応じて、アップリンク情報記憶領域Ｍに記憶されているアップリンク情報を、路側無線装置２０を介してセンター装置３０に送信する（ステップＳ１４）。
【００６７】
以降の処理については、図９を参照して説明する。
図９に示すように、センター装置３０では制御部３１により、送信されたアップリンク情報より会員の趣向に適したコンテンツ情報を編成し、当該コンテンツ情報は車載器１０に配信される（ステップＳ１５）。車載器１０では、配信された当該コンテンツ情報に対して、後述するマルチメディア判断処理を行い（ステップＳ１６）、記憶部１ｆに配信されたコンテンツ情報が保存される（ステップＳ１７）。
【００６８】
その後、センター装置３０が配信すべきコンテンツ情報を全て配信すると、配信終了を通知するメッセージ情報を制御部３１が生成して車載器１０に対し、送信する（ステップＳ１８）。この配信終了のメッセージ情報はユーザに対しエリアアウトを促すためのものである。その後、車載器１０の制御部４は、一定時間センター装置３０からのコンテンツ情報の配信が途絶えると、配信を終了したと判断してアップリンク情報を削除する制御を行う（ステップＳ１９）。この制御に応じて、ＤＳＲＣ制御部３ａはアップリンク情報記憶領域Ｍ内のアップリンク情報を削除する。
【００６９】
次に、ステップＳ１１及びステップＳ１６において車載器１０の制御部４が行うマルチメディア判断処理について説明する。
本実施の形態において、コンテンツ情報は先述したようにマルチメディアフラグを含んでいる。マルチメディア判断処理では、配信されたコンテンツ情報のマルチメディアフラグのオン／オフを判断し、当該コンテンツ情報がマルチメディアコンテンツを含むか否かを判断する。マルチメディアコンテンツを含むコンテンツ情報であれば、後述する検索テーブルＴに当該コンテンツを検索するための情報を保存する。
【００７０】
図１０に示すように、車載器１０の制御部４は、配信されたコンテンツ情報のＩＤ１０内のマルチメディアフラグがオンになっているか否かを判断する（ステップＳ１０１）。マルチメディアコンテンツフラグがオンであれば（ステップＳ１０１；ＹＥＳ）、当該コンテンツ情報はマルチメディアコンテンツを含むコンテンツ情報であると判断し、当該コンテンツ情報を検索するための検索情報として、コンテンツ情報のＩＤ１０内の表示用文字データの情報を抽出する（ステップＳ１０２）。具体的には、マルチメディアコンテンツが楽曲データである場合、当該楽曲のジャンル、アーティスト、楽曲のタイトル情報等がＩＤ１０内のコンテンツのテキストに格納されているため、ステップＳ１０２では、当該テキストを抽出してマルチメディアコンテンツを検索するための検索情報として利用する。例えば、ＩＤ１０内のコンテンツのテキストに「jazz_佐藤誠_PINK」という情報が格納されていた場合、スペースで区切られた文字列をそれぞれジャンル、アーティスト名、楽曲名と制御部４は識別し、それぞれの文字列が検索情報として抽出される。なお、検索情報の抽出方法はこれに限られない。
【００７１】
ステップＳ１０２で抽出された検索情報は、コンテンツ情報のＩＤ０２に格納された情報コードと共に検索テーブルＴに保存される（ステップＳ１０３）。
マルチメディアフラグがオフであった場合（ステップＳ１０１；ＮＯ）、処理は終了する。
【００７２】
図１１に、検索テーブルＴの一例を示す。
図１１に示すように、検索テーブルＴは「情報コード」フィールド、「ジャンル」フィールド、「アーティスト名」フィールド、及び「楽曲名」フィールドから構成される。
「情報コード」フィールドには、ＩＤ０２の情報コードが格納される。「ジャンル」フィールド、「アーティスト名」フィールド、及び「楽曲名」フィールドには、それぞれＩＤ１０のテキストに格納されたジャンル、アーティスト名、及び楽曲名が格納される。
なお、図１１では、マルチメディアコンテンツとして楽曲データが含まれる場合の検索テーブルＴを例として示しているが、マルチメディアコンテンツとして映画のプロモーションビデオが含まれる場合には、「アーティスト名」フィールドに出演者名が格納され、「楽曲名」フィールドに映画のタイトルが格納されてもよい。
【００７３】
マルチメディアコンテンツを含むコンテンツ情報がセンター装置３０から配信される度に、マルチメディア判断処理によって当該コンテンツを検索するための情報が検索テーブルＴに新たなレコードとして書き込まれる。ユーザは後述する操作画面９０からの操作により、当該検索テーブルＴに格納された検索情報を参照して、所望するマルチメディアコンテンツの再生を行う。
また、再生の際には、検索テーブルＴ内の情報コードと、記憶部１ｆに記憶されたコンテンツ情報に一意に割り当てられたＩＤ０２の情報コードを比較して、当該マルチメディアコンテンツを識別し再生する。
【００７４】
図１２（ａ）に、入力部１ｄからの入力により表示される、検索テーブルＴに格納されたマルチメディアコンテンツの一覧を示す操作画面９０の一例を示す。
図１２（ａ）に示すように、操作画面ｄ１には検索テーブルＴに格納されたマルチメディアコンテンツをリストとしてリスト表示欄９１を表示させる。具体的には、情報コード順に検索テーブルＴ内の情報を読み出し、当該情報（ジャンルやアーティスト名等）を用いて各項目の項目名を項目番号順に表示させるとともに、図１２（ａ）に示すようにマルチメディアコンテンツを楽曲データのみ表示させるか、ビデオデータのみ表示させるかを選択するためのボタンを表示させる。つまり、楽曲データボタン９２が押されると（操作画面９０のタッチパネル等で入力される）、検索テーブルＴに格納された情報コードに対応するマルチメディアコンテンツのうち、楽曲データのみが絞り込まれ、操作画面９０に表示される。同様に、ビデオデータボタン９３が押されると、ビデオデータのみが絞り込まれ、操作画面９０に表示される。具体的には、検索テーブルＴに格納されたコンテンツ情報のＩＤ１０のヘッダ情報が参照され、「圧縮音声」の項目がオン（値が１）となっている場合は、当該コンテンツ情報には楽曲が含まれていると判断され、同様に「ビデオ」の項目がオン（値が１）となっている場合は、当該コンテンツ情報にはビデオデータが含まれていると判断され、操作画面９０に表示される。また、楽曲データにはテキストデータ以外にもジャケット写真データ（静止画）が含まれていることもあり、その場合は楽曲リストにもビデオリストにも含むことができる。
【００７５】
入力部１ｄからの入力により、リスト表示欄９１からマルチメディアコンテンツが選択されると、当該マルチメディアコンテンツを再生することができる。例えば、入力部１ｄからの入力により、リスト表示欄９１のマルチメディアコンテンツが選択されると、当該マルチメディアコンテンツが楽曲データであった場合は、オーディオプレーヤーが起動し再生することができる。同様にビデオデータであった場合も動画再生用のプレーヤーが起動し、動画を再生することができる。
【００７６】
図１２（ｂ）に、本実施の形態におけるマルチメディアコンテンツの再生中の操作画面９５の一例を示す。図１２（ｂ）に示すように、操作画面９５は、画像データ９６、テキストデータ表示欄９７、各種ボタン９８等から構成される。
図１２（ｂ）の例では、画像データ９６は再生中のマルチメディアコンテンツに関するアーティストのジャケット写真が表示される。テキストデータ表示欄９７には、当該マルチメディアコンテンツに関するテキストデータ（アーティスト名やタイトル名）が表示される。各種ボタン９８は、マルチメディアコンテンツを再生させるためのボタンや、操作画面９０に戻る（操作画面９０に画面遷移する）ための入力指示をするための各種ボタンである。
操作画面９５に表示されるマルチメディアコンテンツに関する各種データは、検索テーブルＴに格納された情報を基に表示される。なお、表示形態は図示中の例に限られない。例えば、検索テーブルＴに格納された情報コードを基にコンテンツ情報を読み出し、当該コンテンツ情報内の各種情報を抽出して操作画面９５に表示させる構成としてもよい。
受信したコンテンツ情報がマルチメディアコンテンツを含むか否かを車載器１０において判断し、操作画面９０を生成しているため、コンテンツ情報を提供するサービス事業者が異なっていても同一の操作画面によってマルチメディアコンテンツの検索や再生等を行うことができる。
【００７７】
以上のように、本実施形態によれば、センター装置３０は、配信するコンテンツ情報がマルチメディアコンテンツを含むことを示すマルチメディアフラグを含んだコンテンツ情報を車載器１０に送信する。車載器１０では、コンテンツ情報を受信したタイミングで、マルチメディアフラグのオン／オフをマルチメディア判断処理によって判断するため、配信されたコンテンツ情報がマルチメディアコンテンツを含んでいるか否かの判断を行うことができる。その結果、車載器１０は受信されたコンテンツ情報がマルチメディアコンテンツであるか否かの判断を行うことができる。
【００７８】
また、車載器１０ではセンター装置３０からコンテンツ情報を受信すると、マルチメディア判断処理によって、マルチメディアコンテンツを含むコンテンツ情報を検索するための検索情報を検索テーブルＴに保存する。ユーザはリスト表示された操作画面９０からの操作により、当該検索テーブルＴ内を参照し、所望するマルチメディアコンテンツを容易に検索することができる。また、本実施の形態のように、画面上の操作により、検索条件を入力することにより、マルチメディアコンテンツのうち、楽曲データのみ表示させたり、ビデオデータのみ表示させたりすることもできる。
【００７９】
また、リスト表示された操作画面からマルチメディアコンテンツの検索を行うため、ユーザは自己の所望するマルチメディアコンテンツを検索する際に、煩雑な操作を行うことがなくなり、利便性が向上する。つまり、図７に示すような階層構造を用いた画面遷移によりマルチメディアコンテンツを検索する必要がなくなり、リスト表示を行うだけで容易にマルチメディアコンテンツの検索を行うことができる。
【００８０】
なお、上記実施形態は本発明の好適な一例であり、これに限定されない。
例えば、センター装置３０からマルチメディアコンテンツを含むコンテンツ情報を配信する際に、当該コンテンツ情報内にマルチメディアコンテンツのジャンル情報を含ませることもできる。ユーザは予め好きなジャンルの楽曲を指定しておき、配信されたコンテンツ情報に含まれるジャンルと自己が指定したジャンルが一致したマルチメディアコンテンツを含むコンテンツ情報が配信された時にのみ、マルチメディア判断処理によって検索テーブルＴに当該コンテンツ情報と検索情報を格納するようにしてもよい。これにより、ユーザは自己の好きなジャンルのコンテンツ情報に含まれるマルチメディアコンテンツを検索しやすくなる。
【００８１】
また、ユーザが見たくないジャンルのデータが配信された時は、同様の処理により当該コンテンツ情報の検索情報を検索テーブルＴに保存させないようにすることもできる。これにより、興味の無いジャンルの情報をリストから除外することができる。
【００８２】
また、本実施の形態では、ステップＳ１０２においてコンテンツ情報のＩＤ１０内のコンテンツのテキストを検索情報として抽出したが、検索情報として利用する情報はこれに限定されない。例えばＩＤ４０の詳細情報に格納された情報を検索情報として抽出してもよい。これらは事業者ごとの取り決めにより、コンテンツ情報を構成する情報のうち、どの情報を検索情報として利用するか決定する。
【００８３】
また、ステップＳ１０２で抽出される検索情報の格納の方法は本実施の形態の例に限られない。本実施の形態の例では、スペース文字で区切られた文字列をそれぞれジャンル、アーティスト名、楽曲名として識別し、検索情報として抽出するようにしたが、他の方法を用いてもよい。例えば、予め事業者の取り決めによって、ジャンル、アーティスト名、楽曲名の順番にＩＤ１０のテキスト内に格納されていてもよいし、特定の文字列を含む文字を判別してもよい。他にもＩＤ１０のテキスト内に「NAME:BLUE」という文字があれば、「NAME」という文字列が楽曲名を示し、「BLUE」という楽曲名が抽出される。ジャンル、アーティスト名も同様に特定の文字列を含む文字によって識別されるようにしてもよい。
【００８４】
なお、本実施の形態ではマルチメディアコンテンツがふくまれていると判断されたコンテンツデータは検索テーブルＴに順次新しいレコードして検索情報を格納するようにしたが、検索テーブルＴへの格納の仕方は本実施の形態に限られない。
例えば、先述したようにコンテンツ情報のＩＤ１０のヘッダ情報Ｆには、当該コンテンツ情報が楽曲データを含むか、ビデオデータを含むかを判別できるため、このヘッダ情報Ｆに格納されたフラグを参照してテーブルに振り分けてもよい。具体的には、ヘッダ情報Ｆによって楽曲データと判断された場合に当該データに関する情報を楽曲データ専用のテーブルに格納し、ビデオデータと判断された場合には、当該データに関する情報をビデオデータ専用のテーブルに格納する。これにより、楽曲データを格納したテーブルをユーザが参照する際には、当該コンテンツ情報に格納されたテキスト情報を利用してリスト化して表示することができる。同様に、ビデオデータを格納したテーブルをユーザが参照する際には、コンテンツ情報に含まれる画像データをサムネイルとして利用してリスト化して表示することもできる。また、リスト化としてはこれに限らず、楽曲データでもテキスト情報とともにジャケット写真（静止画）が含まれていることもあり、一緒にリスト表示しても良い。逆も同様で、ビデオデータに画像データとともにテキスト情報が含まれていることもあり、一緒にリスト表示しても良い。
【００８５】
図１３（ａ）に、テキストリストを表示させた場合の操作画面１００の一例を示す。図１３（ａ）に示すように、テキスト情報をテーブルに振り分けてリスト化した場合、当該テーブルを参照してテキスト情報を利用して楽曲のタイトルやアーティスト名の一覧を表示させることができる。
また、図１３（ｂ）に、画像リストを表示させた場合の操作画面１１０の一例を示す。図１３（ｂ）に示すように、画像リストをテーブルに振り分けてリスト化した場合、当該テーブルを参照して画像データをサムネイル情報として利用してビデオデータの一覧を表示させることができる。
これにより、マルチメディアフラグを判別してテーブルに格納する時点でコンテンツ情報を振り分けることができるので、検索時の利便性が向上する。
【００８６】
その他、本発明が上記実施形態に限定されず、適宜変更可能であるのは勿論である。
【００８７】
（第２の実施の形態）
次に図１４を参照しつつ、本発明に係る配信システム１００の第２の実施の形態について説明する。なお、第２の実施の形態は、メディアコンテンツ判断処理のみが第１の実施の形態と異なるものであるため、以下においては、特に第１の実施の形態と異なる点について説明する。
【００８８】
センター装置３０は、配信するコンテンツ情報がマルチメディアコンテンツを含む場合には、コンテンツ情報に特定の文字列（以下、識別情報という）を格納する点で第１の実施の形態と異なる。つまり、第１の実施の形態においては、コンテンツ情報がマルチメディアコンテンツを含むか否かの判断をマルチメディアフラグによって行ったが、第２の実施の形態においては、識別情報が含まれるか否かによって判断を行う。具体的には、ＩＤ４０の詳細情報に識別情報（例えば「MULTIMEDIA」等の文字列）が含まれる場合は、当該コンテンツ情報にはマルチメディアコンテンツが含まれると判断する。
【００８９】
なお、コンテンツ情報のデータ形式等、その他の構成は、第１の実施形態で示したものと同様であるため、その説明を省略する。
【００９０】
図１４に、本実施の形態におけるマルチメディア判断処理（以下、第１の実施の形態と区別をするためにマルチメディア判断処理Ｂという）を示す。
【００９１】
図１４に示すように、車載器１０の制御部４は、配信されたコンテンツ情報のＩＤ４０の詳細情報内に識別情報（例えば「MULTIMEDIA」等の文字列）が含まれるか否かを判断する（ステップＳ１４１）。識別情報が含まれていれば（ステップＳ１４１；ＹＥＳ）、当該コンテンツ情報はマルチメディアコンテンツを含むコンテンツ情報であると判断し、当該コンテンツ情報を検索するための検索情報が、コンテンツ情報のＩＤ４０の詳細情報から抽出する（ステップＳ１４２）。具体的には、マルチメディアコンテンツが楽曲データである場合、当該楽曲のジャンル、アーティスト、楽曲のタイトル情報等がＩＤ４０内の詳細情報に格納されているため、ステップＳ１４２では、当該詳細情報を抽出してマルチメディアコンテンツを検索するための検索情報として利用する。例えば、ＩＤ４０内のコンテンツのテキストに「MULTIMEDIA  jazz_佐藤誠_PINK」という情報が格納されていた場合、識別情報である「MULTIMEDIA」という文字に続いて、スペースで区切られた文字列をそれぞれジャンル、アーティスト名、楽曲名と制御部４は識別し、それぞれの文字列が検索情報として抽出される。なお、検索情報の抽出方法はこれに限られない。
詳細情報１に「MULTIMEDIA」という文字列が含まれている場合、詳細情報２に「ジャンル名」、詳細情報３に「アーティスト名」、詳細情報４に「楽曲名」というように、詳細情報毎に検索情報を設定しても良い。
【００９２】
制御部４は、ステップＳ１４２で抽出された検索情報を、当該コンテンツ情報のＩＤ０２の情報コードと共に検索テーブルＴに保存する（ステップＳ１４３）。
コンテンツ情報に識別情報が含まれない場合（ステップＳ１４１；ＮＯ）、ステップＳ１４２とステップＳ１４３をスキップする。
【００９３】
以上のように、第２の実施の形態によれば、センター装置３０は、配信するコンテンツ情報がマルチメディアコンテンツを含むことを示す識別情報を含んだコンテンツ情報を車載器１０に送信する。車載器１０では、コンテンツ情報を受信したタイミングで、識別情報が含まれるか否かをマルチメディア判断処理によって判断するため、配信されたコンテンツ情報がマルチメディアコンテンツを含んでいるか否かの判断を行うことができる。その結果、車載器１０は受信されたコンテンツ情報がマルチメディアコンテンツであるか否かの判断を行うことができる。
【００９４】
なお、上記実施形態は本発明の好適な一例であり、これに限定されない。第２の実施の形態では、コンテンツ情報内に格納された特定の文字列を識別情報として使用したが、文字情報を格納する領域にあらかじめ指定されたアーティスト名が格納されていた場合は、当該コンテンツ情報をマルチメディアコンテンツとみなし、検索テーブルＴに検索情報を保存してもよい。
【００９５】
また、上記実施形態では、詳細情報内の識別情報（「MULTIMEDIA」等の文字列）が含まれる場合は当該コンテンツ情報にはマルチメディアコンテンツが含まれると判断していたが、これに限定されず、詳細情報内に「MULTIMEDIA」等の識別情報がなく、第１の実施の形態と同様に、ＩＤ４０のヘッダ情報Ｆのマルチメディアコンテンツフラグがオンだった場合は、マルチメディアコンテンツが含まれると判断しても良い。その際の検索情報としては、ＩＤ４０内の詳細情報を利用しても、ＩＤ１０内のコンテンツ内のテキストを利用してもよい。
【００９６】
また、上記実施形態では、詳細情報内の識別情報（「MULTIMEDIA」等の文字列）が含まれる場合は当該コンテンツ情報にはマルチメディアコンテンツが含まれると判断していたが、これに限定されず、詳細情報内に「MULTIMEDIA」等の識別情報がなく、ＩＤ４０のヘッダ情報ＦのマルチメディアコンテンツフラグがＯＮだった場合は、マルチメディアコンテンツが含まれると判断しても良い。その際の検索情報としては、ＩＤ４０内の詳細情報を利用しても、ＩＤ１０内のコンテンツ内のテキストを利用してもよい。
【００９７】
また、識別情報として使用される文字列はセンター装置３０を所有する事業者ごとに異なってもよい。事業者ごとに識別情報が異なることにより、コンテンツ情報を提供する事業者ごとに検索テーブルＴを振り分けることができ、ユーザは自己の所望する事業者が提供するマルチメディアコンテンツを容易に検索することができる。
【００９８】
なお、第２の実施の形態ではＩＤ４０内の詳細情報をステップＳ１４２において検索情報として抽出したが、検索情報として利用される情報はこれに限られない。例えば、第１の実施の形態と同様、ＩＤ１０内のコンテンツ内のテキストを利用してもよい。また、検索情報の格納方法が本実施の形態に限られないことは第１の実施の形態と同様である。
【００９９】
その他、本発明が本実施の形態に限られないことは、第１の実施の形態と同様である。
【０１００】
（第３の実施の形態）
次に図１５を参照しつつ、本発明に係る配信システム１００の第３の実施の形態について説明する。なお、第３の実施の形態は、メディアコンテンツ判断処理のみが第１の実施の形態と異なるものであるため、以下においては、特に第１の実施の形態と異なる点について説明する。
【０１０１】
コンテンツ情報のデータ形式等、その他の構成は、第１の実施形態で示したものと同様であるため、その説明を省略する。
【０１０２】
図１５に、本実施の形態におけるマルチメディア判断処理（以下、第１及び第２の実施の形態と区別をするためにマルチメディア判断処理Ｃという）を示す。
【０１０３】
図１５に示すように、車載器１０の制御部４は、配信されたコンテンツ情報のＩＤ１０内のマルチメディアフラグがオンになっているか否かを判断する（ステップＳ１５１）。マルチメディアコンテンツフラグがオンであれば（ステップＳ１５１；ＹＥＳ）、当該コンテンツ情報はマルチメディアコンテンツを含むコンテンツ情報であると判断し、当該コンテンツ情報に関する情報を抽出する（ステップＳ１５２）。具体的には、当該コンテンツ情報のＩＤ１０のコンテンツ内の「テキスト」のデータ領域にデータが格納されていれば、当該テキストを抽出する。同様に、ＩＤ１０内のコンテンツ内の「画像」のデータ領域にデータが格納されていれば、当該画像を抽出する。なお、コンテンツ情報に関する情報の抽出方法はこれに限られない。
他にも、テキストデータと画像データが含まれている場合は、テキストリストに画像データとして含まれているジャケット写真（静止画）を一緒に表示させても良いし、画像リスト内の動画コンテンツのタイトル名を一緒に表示させても良い。
【０１０４】
ステップＳ１５２で抽出されたコンテンツ情報に関する情報は、情報コードと共にそれぞれの情報に対応するテーブルに保存される（ステップＳ１５３）。具体的には、ステップＳ１５２において、ＩＤ１０のコンテンツ内の「テキスト」のデータが抽出された場合、当該データを格納するテーブル（以下、テキスト情報検索テーブルＴ２という）に格納し、ＩＤ１０のコンテンツ内の「画像」のデータが抽出された場合、当該データを格納するテーブル（以下、画像検索テーブルＴ３という）に格納する。つまり、テキスト情報検索テーブルＴ２には、マルチメディアコンテンツを含むと判断されたコンテンツのテキスト情報が格納され、画像検索テーブルＴ３には、マルチメディアコンテンツを含むと判断されたコンテンツのテキスト情報が格納されている。ステップＳ１５２と同様、抽出されたコンテンツ情報はこれに限られず、ステップＳ１５２で抽出された情報に対応するテーブルに当該情報を格納する。
【０１０５】
マルチメディアフラグがオフであった場合（ステップＳ１５１；ＮＯ）、ステップＳ１５２とステップＳ１５３をスキップする。
【０１０６】
以上のように、第３の実施の形態によれば、センター装置３０は、配信するコンテンツ情報がマルチメディアコンテンツを含むことを示すマルチメディアフラグを含んだコンテンツ情報を車載器１０に送信する。車載器１０では、コンテンツ情報を受信したタイミングで、マルチメディアフラグが含まれるか否かをマルチメディア判断処理によって判断するため、配信されたコンテンツ情報がマルチメディアコンテンツを含んでいるか否かの判断を行うことができる。その結果、車載器１０は受信されたコンテンツ情報がマルチメディアコンテンツであるか否かの判断を行うことができる。
【０１０７】
また、第３の実施の形態では、第１の実施の形態と異なり、マルチメディアフラグを含むコンテンツ情報であると判断した際に、当該コンテンツ情報に関する情報をテーブルに格納するので、ユーザは図８に示すような階層構造を利用した画面遷移から自己が所望するマルチメディアコンテンツを検索するような煩雑な操作を行うことなく、自己の所望するマルチメディアコンテンツを検索することができる。検索の際には、当該テーブルを参照することによって、図１３（ａ）と同様の操作画面によって検索を行うことができる。
【０１０８】
なお、上記実施形態は本発明の好適な一例であり、これに限定されない。第３の実施の形態では、コンテンツ情報のＩＤ１０内のコンテンツ内に格納された情報を、コンテンツ情報に関する情報として抽出したが、例えばＩＤ４０の詳細情報に格納された情報をコンテンツ情報に関する情報としてステップＳ１５２で抽出してもよい。この場合、マルチメディアフラグがオンであるとステップＳ１５１で判断された場合、ステップＳ１５２において、ＩＤ４０に格納された詳細情報を抽出し、専用のテーブルに当該詳細情報を格納する。
【０１０９】
その他、本発明が本実施の形態に限られないことは、第１の実施の形態と同様である。
【０１１０】
（第４の実施の形態）
次に図１６及び図１７を参照しつつ、本発明に係る配信システム１００の第４の実施の形態について説明する。なお、第４の実施の形態は、メディアコンテンツ判断処理におけるステップＳ１０２のみが第１の実施の形態と異なるものであるため、以下においては、特に第１の実施の形態と異なる点について説明する。
【０１１１】
第１の実施の形態においては、メディアコンテンツ判断処理のステップＳ１０２において、コンテンツ情報のＩＤ１０のテキストのうちスペースで区切られた文字列をそれぞれジャンル、アーティスト名、楽曲名と認識し、それぞれの文字列が検索情報として抽出されている。
第４の実施の形態においては、コンテンツ情報のＩＤ１０のテキストに何の情報が格納されているかを示すコード（以下、識別コードという）によって、コンテンツ情報のＩＤ１０のテキストに格納されている文字列をステップＳ１０２において判断する。
【０１１２】
識別コードとして、例えば空白文字を示す「ＴＡＢ」コードを使用することができる。識別コードとして「ＴＡＢ」コードを使用した場合、コンテンツ情報のＩＤ１０のテキストに「佐藤誠「ＴＡＢ」PINK」（「佐藤誠」という文字列と「PINK」という文字列の間に「ＴＡＢ」コードが格納されていることを示す。）というデータが格納されていた場合、ステップＳ１０２においては、「佐藤誠」というアーティスト名と「PINK」という楽曲名が抽出される。
他にも、「ＴＡＢ」コードが文字列の間に２つ格納されている場合は、楽曲名ではなくアルバム名であると判断するようにしてもよい。例えば、コンテンツ情報のＩＤ１０のテキストに、「佐藤誠「ＴＡＢ」PINK「ＴＡＢ」Color」というデータが格納されていた場合、「佐藤誠」というアーティスト名と、「PINK」という楽曲名と、「Color」というアルバム名が抽出されることになる。
【０１１３】
他にも、識別コードとして、「＜アーティスト＞」や「＜楽曲名＞」のように、文字列が何の情報を示しているかを識別できるタグコードを使用することができる。例えば、ＩＤ１０のテキストに「＜アーティスト＞佐藤誠＜楽曲名＞PINK」というデータが格納されていた場合、ステップＳ１０２において、「佐藤誠」というアーティスト名と「PINK」という楽曲名が抽出されるようにしてもよい。同様に、「＜Ａ＞佐藤誠＜Ｍ＞PINK」のようにしてもよく、識別コードとして何のタグコード使用するかはサービス事業者ごとの取り決めとしてもよい。
【０１１４】
また、識別コードとして、文字コードの規格を使用してＩＤ１０のテキストに格納されていてもよい。例えば、「0x0a LF」（改行を示す文字コードである）や「0x0d CR」（復帰を示す文字コードである）のような制御コードが識別情報として使用されてもよい。つまり、ＩＤ１０のテキストに「0x0a LF佐藤誠0x0d CRPINK」というデータが格納されていた場合、ステップＳ１０２において、「佐藤誠」というアーティスト名と「PINK」という楽曲名が抽出されるようにしてもよい。この例では、改行を示す文字コードである「0x0a LF」の直後の文字列をアーティスト名と判断し、復帰を示す文字コードである「0x0d CR」の直後の文字列を楽曲名として判断している。
また、これらの文字コードは上記の例のように文字列の前につけてもよいし、後につけてもよい。先述した例と同様に、どの文字コードを識別コードとして認識させるかはサービス事業者ごとの取り決めとしてもよい。
【０１１５】
以上のように、第４の実施の形態においてはメディアコンテンツ判断処理において、識別コードを使用して、ＩＤ１０のテキストの内容を判別している。従って、コンテンツ情報を配信するサービス事業者はＩＤ１０のテキストに識別コードごとに多様な情報を格納することができ、車載器１０では、当該情報が何を示しているのか判別することが容易となる。したがって、マルチメディアコンテンツを含むと判断されたコンテンツ情報を表示する際に、より利便性の高い操作画面を提供することができる。
【０１１６】
図１６（ａ）に、検索テーブルＴを利用してマルチメディアコンテンツの一覧を表示させた場合の操作画面１２０の一例を示す。図１６（ａ）に示す例では、検索テーブルＴの「アーティスト名」フィールドに格納された情報と「楽曲名」フィールドに格納された情報が表示される。第１の実施の形態における操作画面９０と同様、入力部１ｄからの入力により、操作画面１２０に表示されたマルチメディアコンテンツを再生させることができる。
【０１１７】
図１６（ｂ）に、ＩＤ１０の画像とともにマルチメディアコンテンツの一覧を表示させた場合の操作画面１３０の一例を示す。図１６（ｂ）に示すように、検索テーブルＴに格納されたコンテンツ情報のＩＤ１０の画像が参照され、検索テーブルＴの「アーティスト名」フィールドに格納された情報と「楽曲名」フィールドに格納された情報とともに操作画面１３０に表示されることになる。具体的には、検索テーブルＴの「情報コード」フィールドに格納された情報コードが参照され、記憶部１ｆに記憶されたコンテンツ情報のうち、当該情報コードと一致するコンテンツ情報のＩＤ１０の画像が参照されることになる。
【０１１８】
本実施の形態においては、識別コードによりＩＤ１０のテキストに何の情報が格納されているかを判別することができるので、ＩＤ１０のテキストに様々な情報を格納しても車載器１０において当該テキストを判別することができる。したがって、操作画面１３０に表示される情報は、図１６（ｂ）に示す例に限られない。例えば、アルバム名が格納されていることを示す識別コードがＩＤ１０のテキストにある場合は、操作画面１３０にアルバム名が表示されるようにしてもよい。
【０１１９】
マルチメディアコンテンツとしてビデオデータが格納されていた場合も同様の表示となる。つまり、当該コンテンツ情報のＩＤ１０の画像にはビデオデータのサムネイル等が格納されているため、当該ビデオデータのタイトル等と共に操作画面１３０に表示されることになる。
車載器１０のユーザは、操作画面１３０のように画像データと文字情報の両方を視認することができるので、自己が所望するマルチメディアコンテンツを検索する際の視認性が向上する。
【０１２０】
図１７（ａ）に、ＩＤ１０の画像とともにアーティスト名ごとにマルチメディアコンテンツの一覧を表示させた場合の操作画面１３０の一例を示す。図１７（ａ）に示すように、検索テーブル（以下、操作画面１３０を表示させるための検索テーブルを区別するために検索テーブルＴａという）の「アーティスト名」フィールドに同一のアーティスト名のレコードが複数格納されていた場合は、アーティスト名ごとに楽曲名の一覧を表示させることもできる。
【０１２１】
また、図１７（ａ）に示す例では、アーティスト名と楽曲名をＩＤ１０の画像と共に表示したが、アーティスト名、アルバム名、及び楽曲名を表示させるようにしてもよい。例えば、ＩＤ１０のテキストにアーティスト名、アルバム名、及び楽曲名を識別する識別コードが格納されていた場合に、アーティスト名とアルバム名のテキスト一致を判断し、一致するコンテンツ情報を抽出して一覧として表示させることもできる。例えば、あるアーティストのアルバムに含まれる楽曲が毎週１曲ずつセンター装置３０から配信されるコンテンツ情報があった場合に、コンテンツ情報のＩＤ１０のテキストに格納されたアーティスト名とアルバム名のテキスト一致を判断して操作画面１３０に表示させるようにすれば、毎週１曲ずつ追加される当該アルバムの楽曲を一覧として表示させることができる。
【０１２２】
図１８に、操作画面１３０を表示させるための、第４の実施の形態におけるマルチメディア判断処理（第１〜第３の実施の形態と区別するために、以下マルチメディアコンテンツ判別処理Ｄという）を示す。
【０１２３】
図１８に示すように、車載器１０の制御部４は、配信されたコンテンツ情報のＩＤ１０内のマルチメディアフラグがオンになっているか否かを判断する（ステップＳ１８１）。マルチメディアコンテンツフラグがオンであれば（ステップＳ１８１；ＹＥＳ）、当該コンテンツ情報はマルチメディアコンテンツを含むコンテンツ情報であると判断し、当該コンテンツ情報に識別コードが含まれるか否かを判断する（ステップＳ１８２）。具体的には、コンテンツ情報のＩＤ１０のテキストに識別コードが含まれているか否かによって判断する。
【０１２４】
当該コンテンツ情報に識別コードが含まれると判断された場合（ステップＳ１８２；ＹＥＳ）、識別コードによって識別されたＩＤ１０のテキストのアーティスト名とアルバム名が、検索テーブルＴａに格納されているレコードのアーティスト名とアルバム名と一致するか否かを判断する（ステップＳ１８３）。アーティスト名とアルバム名と一致すると判断した場合（ステップＳ１８３；ＹＥＳ）、当該ＩＤ１０の情報を検索テーブルＴａに保存する（ステップＳ１８４）。
【０１２５】
一方、コンテンツ情報に識別コードが含まれると判断されない場合（ステップＳ１７０２；ＮＯ）、アーティスト名とアルバム名と一致すると判断されない場合（ステップＳ１７０３；ＮＯ）、検索テーブルＴａとは別の検索テーブル（以下、検索テーブルＴｂという）にＩＤ１０の情報が格納される。検索テーブルＴｂとは、図１２（ａ）に示す操作画面９０を表示させるための検索テーブルのことである。
【０１２６】
このように、第４の実施の形態におけるマルチメディア判断処理Ｄによれば、マルチメディアフラグがオンとなっていて、検索テーブルＴｂに格納されたアーティスト名とアルバム名と、ＩＤ１０のテキストに格納された識別コードによって識別されるテキストが一致するコンテンツ情報を受信した場合には、当該ＩＤ１０のテキストに格納された情報を検索テーブルＴｂに新たなレコードとして格納する。したがって、操作画面１４０に表示されるアーティスト名やアルバム名が一致するコンテンツ情報を受信した際には、随時検索テーブルＴｂに追加され、操作画面１４０に表示されるべき情報も追加されることになる。
【０１２７】
図１７（ｂ）に、楽曲とビデオの一覧を同時に表示させた操作画面１５０の一例を示す。図１７（ｂ）に示すように、コンテンツ情報のＩＤ１０のビデオに映画のデータが格納されている場合、当該映画に関わる画像とともにタイトル名と出演者の表示をしてもよい。本実施の形態においては、識別コードによって、ＩＤ１０のテキストに何の情報が格納されているかを判別することができるので、ＩＤ１０のビデオにデータが格納されている場合、映画のタイトル名と出演者の文字列を特定し、操作画面１５０のように表示させることができる。
図１７（ｃ）に、楽曲とビデオの一覧を同時に表示させ、画面をスクロールさせることのできる操作画面１６０の一例を示す。図１７（ｃ）に示すように、検索テーブルＴに格納されたレコードが多数ある場合には、検索テーブルＴに格納されているマルチメディアコンテンツに関する情報を表示させるためにスクロールさせて画面遷移することができる。
【０１２８】
また、マルチメディア判断処理においては、マルチメディアフラグがオンとなっているコンテンツ情報を検索テーブルＴに格納するようにしているので、操作画面１２０〜１６０のように、複数のマルチメディアコンテンツを表示させる場合にも、サービス事業者ごとにマルチメディアコンテンツを表示させるのではなく、異なるサービス事業者が提供するマルチメディアコンテンツを同一の操作画面で表示することができる。つまり、受信したコンテンツ情報がマルチメディアコンテンツを含むか否かを車載器１０において判断し、操作画面１２０〜１６０を車載器１０によって生成しているため、コンテンツ情報を提供するサービス事業者が異なっていたとしても、同一の操作画面によってマルチメディアコンテンツの検索や再生等を行うことができるため、サービス事業者が提供する操作画面での操作を行う場合に比べて、車載器１０のユーザはサービス事業者ごとに異なる操作を要することが無くなる。
【０１２９】
なお、本実施の形態に示した識別コードや操作画面は本発明の好適な一例であり、これに限定されない。
本実施の形態において、識別コードとして「ＴＡＢ」コード、タグコード、制御コードを使用する例を述べたが、ＩＤ１０のテキストに何の情報が格納されているかを識別できればよく、他の情報を識別コードとして使用してもよい。例えば、文字コードを識別コードとして使用する場合、当該文字コードはＡＳＣＩＩ（American Standard Code for Information Interchange）コードであってもよいし、ＪＩＳ（Japan Industrial Standard）コードであってもよい。
【０１３０】
なお、検索テーブルＴに格納されたマルチメディアコンテンツのリストを表示部１ｅに表示させる際の操作画面の例は図１６及び図１７に示す例に限られない。例えば、ＩＤ１０のテキストにマルチメディアコンテンツのジャンル情報が格納されており、ジャンルごとの一覧としてリストを表示部１ｅに表示させるようにしてもよい。
【０１３１】
その他、本発明が本実施の形態に限られないことは、第１の実施の形態と同様である。
【図面の簡単な説明】
【０１３２】
【図１】本実施形態における配信システムを示す図である。
【図２】図１の路側無線装置の路側エリアを説明する図である。
【図３】図１の車載器の機能的構成を示す図である。
【図４】センター装置の機能的構成を示す図である。
【図５】コンテンツ情報のデータ形式の一例を示す図である。
【図６】コンテンツ情報のヘッダ情報の一例を示す図である。
【図７】コンテンツ情報に基づき、表示される画面遷移例である。
【図８】配信システムにおける処理の流れを説明する図である。
【図９】配信システムにおける処理の流れを説明する図である。
【図１０】配信システムにおける処理において行われるマルチメディア判断処理の流れを説明する図である。
【図１１】本実施の形態における検索テーブルＴの一例を示す図である。
【図１２】マルチメディアコンテンツを再生させるための操作画面の一例であり、（ａ）は、図１０のマルチメディア判断処理によって作成された検索テーブルＴを利用したリストを表示させた画面の一例であり、（ｂ）はマルチメディアコンテンツの再生中の画面の一例を示す図である。
【図１３】マルチメディアコンテンツを再生させるための操作画面の一例であり、（ａ）は、テキストリストを表示させる場合の操作画面の一例を示し、（ｂ）は、画像リストを表示させる場合の操作画面の一例を示す。
【図１４】第２の実施の形態における配信システムにおける処理において行われるマルチメディア判断処理の流れを説明する図である。
【図１５】第３の実施の形態における配信システムにおける処理において行われるマルチメディア判断処理の流れを説明する図である。
【図１６】マルチメディアコンテンツを再生させるための操作画面の一例であり、（ａ）は、検索テーブルＴを利用してテキストリストを表示させた画面の一例であり、（ｂ）はテキストと画像を表示させた画面の一例を示す図である。
【図１７】マルチメディアコンテンツを再生させるための操作画面の一例であり、（ａ）は、検索テーブルＴを利用して画像とテキストを表示させた画面の一例であり、（ｂ）は楽曲とビデオを表示させた画面の一例であり、（ｃ）は、スクロール可能な画面に楽曲とビデオを表示させた画面を示す図である。
【図１８】第４の実施の形態における配信システムにおける処理において行われるマルチメディア判断処理の流れを説明する図である。
【符号の説明】
【０１３３】
１００  配信システム
１０  車載器
１  カーナビ部
１ｄ  入力部
１ｅ  表示部
１ｆ  記憶部
３  ＤＳＲＣ部
３ａ  ＤＳＲＣ制御部
３ｂ  通信部
３ｃ  記憶部
Ｍ  アップリンク情報記憶領域
４  制御部
２０  路側無線装置
３０  センター装置
３１  制御部
３４  記憶部
【図１】
2009213099.tif 000003
【図２】
2009213099.tif 000004
【図３】
2009213099.tif 000005
【図４】
2009213099.tif 000006
【図５】
2009213099.tif 000007
【図６】
2009213099.tif 000008
【図７】
2009213099.tif 000009
【図８】
2009213099.tif 000010
【図９】
2009213099.tif 000011
【図１０】
2009213099.tif 000012
【図１１】
2009213099.tif 000013
【図１２】
2009213099.tif 000014
【図１３】
2009213099.tif 000015
【図１４】
2009213099.tif 000016
【図１５】
2009213099.tif 000017
【図１６】
2009213099.tif 000018
【図１７】
2009213099.tif 000019
【図１８】
2009213099.tif 000020